(57)【要約】      （修正有）【課題】プラントのオペレータが運転管理に必要な文書を効率よく入手することを可能にする監視制御システム、端末装置、文書提供方法及びコンピュータプログラムを提供する。【解決手段】監視制御システムは、記憶部２３と、表示部２４と、文書提供部２６とを持つ。記憶部は、監視制御対象の運転管理に関する文書データを記憶する。表示部は、監視制御対象の運転管理に関する情報を表示する。文書提供部は、表示部に表示された情報の選択操作に応じて、選択操作によって選択された情報に関連する文書データを記憶部から取得してユーザに提供する。【選択図】図２
2019159486.tif 000002
【特許請求の範囲】
【請求項１】
監視制御対象の運転管理に関する文書データを記憶する記憶部と、
前記監視制御対象の運転管理に関する情報を表示する表示部と、
前記表示部に表示された情報の選択操作に応じて、前記選択操作によって選択された情報に関連する文書データを前記記憶部から取得してユーザに提供する文書提供部と、
を備える監視制御システム。
【請求項２】
前記文書提供部は、前記選択操作によって選択された情報に関連する文書データの選択肢を提示するとともに、前記選択肢から選択された文書データを前記ユーザに提供する、
請求項１に記載の監視制御システム。
【請求項３】
前記文書提供部は、前記文書データの選択肢を、前記文書データが属する属性の単位で提示する、
請求項２に記載の監視制御システム。
【請求項４】
前記文書提供部は、前記選択肢から選択された文書データに関して、前記文書データの提供手段の選択肢を提示する、
請求項２又は３に記載の監視制御システム。
【請求項５】
前記情報の選択操作は、前記監視制御対象に含まれる機器に関して表示された情報の選択操作であり、
前記文書提供部は、選択された情報に対応する機器に関連する文書データを提供する、
請求項１から４のいずれか一項に記載の監視制御システム。
【請求項６】
前記情報の選択操作は、前記監視制御対象に含まれる機器を示す表示の選択操作である、
請求項５に記載の監視制御システム。
【請求項７】
前記情報の選択操作は、前記監視制御対象に含まれる機器に生じた事象を示す表示の選択操作である、
請求項５又は６に記載の監視制御システム。
【請求項８】
前記情報の選択操作は、前記監視制御対象又は前記監視制御対象に関連する機器を示す表示を選択する操作である、
請求項１から７のいずれか一項に記載の監視制御システム。
【請求項９】
前記監視制御対象の運転管理に用いられる端末装置と、前記監視制御対象を制御する制御装置とをさらに備え、
前記端末装置が前記表示部を備え、
前記制御装置が、前記記憶部及び前記文書提供部を備える、
請求項１に記載の監視制御システム。
【請求項１０】
監視制御対象の運転管理に用いられる端末装置であって、
監視制御対象の運転管理に関する文書データを記憶する記憶部と、
前記監視制御対象の運転管理に関する情報を表示する表示部と、
前記表示部に表示された情報の選択操作に応じて、前記選択操作によって選択された情報に関連する文書データを前記記憶部から取得してユーザに提供する文書提供部と、
を備える端末装置。
【請求項１１】
監視制御対象の運転管理に関する情報を表示する表示ステップと、
前記表示ステップで表示された情報の選択操作に応じて、前記選択操作によって選択された情報に関連する文書データを、前記監視制御対象の運転管理に関する文書データを記憶する記憶装置から取得してユーザに提供する文書提供ステップと、
を有する文書提供方法。
【請求項１２】
監視制御対象の運転管理に関する情報を表示する表示ステップと、
前記表示ステップで表示された情報の選択操作に応じて、前記選択操作によって選択された情報に関連する文書データを、前記監視制御対象の運転管理に関する文書データを記憶する記憶装置から取得してユーザに提供する文書提供ステップと、
をコンピュータに実行させるためのコンピュータプログラム。
【発明の詳細な説明】
【技術分野】
【０００１】
本発明の実施形態は、監視制御システム、端末装置、文書提供方法及びコンピュータプログラムに関する。
【背景技術】
【０００２】
プラントの運転管理において異常が検知された場合、オペレータは異常箇所や異常の原因を特定して復旧作業を開始する。一般に、異常箇所や異常の原因の特定にはプラントの設計情報が必要になる場合が少なくない。また、復旧作業も、異常箇所や異常の原因に応じた手順書に従って行われるのが一般的である。しかしながら、これらの文書は紙媒体で管理されていることが多く、必要な文書の収集に手間がかかることも少なくない。そのため、従来、復旧作業を完了するまでに多くの時間が費やされてしまう可能性があった。
【先行技術文献】
【特許文献】
【０００３】
【特許文献１】特開２０００−１３１４８５号公報
【特許文献２】特開２０００−７６３５７号公報
【特許文献３】特開平１０−２０７９００号公報
【発明の概要】
【発明が解決しようとする課題】
【０００４】
本発明が解決しようとする課題は、プラントのオペレータが運転管理に必要な文書を効率よく入手することを可能にする監視制御システム、端末装置、文書提供方法及びコンピュータプログラムを提供することである。
【課題を解決するための手段】
【０００５】
実施形態の監視制御システムは、記憶部と、表示部と、文書提供部とを持つ。記憶部は、監視制御対象の運転管理に関する文書データを記憶する。表示部は、前記監視制御対象の運転管理に関する情報を表示する。文書提供部は、前記表示部に表示された情報の選択操作に応じて、前記選択操作によって選択された情報に関連する文書データを前記記憶部から取得してユーザに提供する。
【図面の簡単な説明】
【０００６】
【図１】実施形態におけるプラントシステム１００のシステム構成の概略を示す図。
【図２】実施形態の監視端末２の機能構成の具体例を示すブロック図。
【図３】実施形態における設定情報の具体例を示す図。
【図４】実施形態における監視画面の具体例を示す図。
【図５】実施形態における監視画面の具体例を示す図。
【図６】実施形態の監視端末２がオペレータに文書データを提供する処理の具体例を示すフローチャート。
【図７】実施形態の監視端末２において文書提供部２６が生成する関連文書の階層構造の具体例を示す図。
【図８】実施形態の監視端末２における関連文書の選択メニューの表示例を示す図。
【発明を実施するための形態】
【０００７】
以下、実施形態の監視制御システム、端末装置、文書提供方法及びコンピュータプログラムを、図面を参照して説明する。
【０００８】
図１は、本実施形態におけるプラントシステム１００のシステム構成の概略を示す図である。プラント１は、プラントシステム１００において監視又は制御の対象となるプラントである。監視端末２は、オペレータがプラント１の運転管理を行う際に使用する端末装置である。具体的には、監視端末２は、プラント１の監視や操作を行うためのユーザインタフェースとなる監視画面を生成して表示する機能を有する。監視画面には、プラント１の状態や、プラント１の選択メニュー等が表示される。監視制御装置３は、プラント１の制御を実行するとともに、監視画面の表示に必要な情報（以下「監視情報」という。）を監視端末２に提供する装置である。監視制御装置３は、プラント１及び監視端末２と通信可能に構成される。
【０００９】
例えば、監視制御装置３は、プラント１の状態を示す状態情報をプラント１から取得し、取得した状態情報に基づいてプラント１の制御指示値を決定する。監視制御装置３は、決定した制御指示値を示す制御情報を生成し、生成した制御情報をプラント１に送信する。このような状態情報の取得及び制御情報の送信により、監視制御装置３はプラント１の状態に応じた制御をプラント１に対して実行する。
【００１０】
また、例えば、監視制御装置３は、オペレータが監視画面に対して入力したプラント１の操作指示を示す情報（以下「操作情報」という。）を取得し、取得した操作情報が示す操作をプラント１に対して実行するための制御情報を生成する。監視制御装置３は、生成した制御情報をプラント１に送信することにより、オペレータが指示した操作をプラント１に反映させる。
【００１１】
また、監視制御装置３は、プラント１から取得した状態情報に基づいて監視画面の表示に必要な監視情報を生成し、生成した監視情報を監視端末２に送信する。監視端末２は、監視制御装置３から提供された監視情報を監視画面に表示させる。オペレータは、監視画面に表示された状態情報を視認することによりプラント１の状態を把握することができる。
【００１２】
実施形態の監視端末２は、上述の監視画面を表示する機能に加え、プラント１の運転管理に必要な各種文書の電子データ（以下「文書データ」という。）をオペレータに提供する機能（以下「文書提供機能」という。）を有する。以下、この文書提供機能に関する監視端末２の構成について詳細に説明する。
【００１３】
図２は、本実施形態の監視端末２の機能構成の具体例を示すブロック図である。監視端末２は、バスで接続されたＣＰＵ（Central Processing Unit）やメモリや補助記憶装置などを備え、プログラムを実行する。監視端末２は、プログラムの実行によって通信部２１、入力部２２、記憶部２３、表示部２４、表示制御部２５及び文書提供部２６を備える装置として機能する。なお、監視端末２の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。プログラムは、電気通信回線を介して送信されてもよい。
【００１４】
通信部２１は、監視制御装置３と通信する通信インタフェースである。通信部２１は、有線通信インタフェースであってもよいし、無線通信インタフェースであってもよい。通信部２１は、監視制御装置３から監視情報を受信するとともに、監視制御装置３に操作情報を送信する。
【００１５】
入力部２２は、監視端末２に対する情報の入力操作を受け付ける入力インタフェースである。例えば、入力部２２は、マウスやキーボード、タッチパネル等の入力装置を用いて構成される。入力部２２は、受け付けた入力操作を示す情報を表示制御部に出力する。
【００１６】
記憶部２３は、磁気ハードディスク装置や半導体記憶装置などの記憶装置を用いて構成される。記憶部２３は、プラント１の運転管理に必要な各種の文書データを記憶する。文書データの格納先は、メモリアドレスによって管理されてもよいし、ファイルシステムで管理されてもよい。また、記憶部２３は、監視画面の表示に関する各種の設定情報を予め記憶している。
【００１７】
表示部２４は、ＣＲＴ（Cathode Ray Tube）ディスプレイや液晶ディスプレイ、有機ＥＬ（Electro-Luminescence）ディスプレイ等の表示装置を用いて構成される。表示部２４は、表示制御部２５の制御により各種情報の表示を行う。具体的には、表示部２４は、表示制御部２５によって生成された監視画面を表示する。
【００１８】
表示制御部２５は、表示部２４の表示を制御する機能を有する。具体的には、表示制御部２５は、監視制御装置３から取得される状態情報、及び記憶部２３に記憶されている設定情報に基づいて表示部２４に表示させる監視画面を生成し、生成した監視画面を表示部２４に表示させるための表示情報を表示部２４に出力する。
【００１９】
文書提供部２６は、監視端末２を使用するオペレータに対して文書データを提供する機能を有する。具体的には、文書提供部２６は、オペレータが監視画面に対して行った操作に関連する文書を抽出してオペレータに提示する機能と、提示した文書のうちオペレータが選択した文書の文書データをオペレータが指定する処理方法で処理する機能と、を有する。
【００２０】
図３は、本実施形態における設定情報の具体例を示す図である。例えば、設定情報は
図３（Ａ）に示す文書管理テーブルＴＢ１及び図３（Ｂ）に示すツリー情報ＴＲ１及びＴＲ２として記憶部２３に記憶される。文書管理テーブルＴＢ１は各文書の属性を示す。文書管理テーブルＴＢ１は、文書ＩＤごとの文書管理レコードを有する。文書管理レコードは文書ＩＤ、ファイルパス、関連機器ＩＤ及び所属分類ＩＤの各値を有する。文書ＩＤは、オペレータに提供する各文書の識別情報を表す。ファイルパスは、文書ＩＤが示す文書に対応する文書データの格納先を表す。具体的には、ファイルパスは、文書データをファイルとして管理するファイルシステム上の位置情報である。関連機器ＩＤは、文書ＩＤが示す文書に関連する機器の識別情報を表す。所属分類ＩＤは、文書ＩＤが示す文書が属する分類の識別情報を表す。１つの文書は１つの分類に所属してもよいし、複数の分類に所属してもよい。
【００２１】
一方、ツリー情報ＴＲ１及びＴＲ２は各文書が所属する分類の従属関係を示す。図３（Ｂ）は各文書が所属する分類の従属関係をツリー上の階層構造で表した例を示す。例えば、図３（Ｂ）は“設計図面”及び“設計書”を最上位の分類とした例である。この例において、“設計図面”には、“機器関連図面”、“センサ図面”、“施工図面”、“制御板図面”及び“用品図面”の各分類が従属し、さらに“機器関連図面”には“処理槽関連”及び“ポンプ関連”の各分類が従属する。また、“設計書”には“プログラム設計”及び“機器設計”の各分類が従属する。各分類には、それぞれの分類を識別するための情報として分類ＩＤが予め割り当てられ、関連する文書管理レコードの所属分類ＩＤに登録される。
【００２２】
図４及び図５は、本実施形態における監視画面の具体例を示す図である。図４に示す監視画面Ｄ１は、複数の処理槽と、各処理槽間で処理対象の水を送水する複数のポンプと、を有する水処理設備の監視画面の具体例を示す。監視画面Ｄ１は、ある水処理設備Ｃの監視画面例を示す。例えば、設備Ｃは、図示しない設備Ａ及び設備Ｂから送られる水を処理し、処理済みの水を設備Ｄに送る設備である。監視画面Ｄ１は、設備Ｃが備える各種ポンプＰ１〜Ｐ５、各種処理槽Ｔ１〜Ｔ３、流量調整弁Ｂ１などのアイコンが送水経路に対応づけられて表示された例である。図５は、このような監視画面Ｄ１における異常通知の表示例を示す。図５は、ポンプＰ５の異常（事象の一例）を示すアイコンＫ１が、ポンプＰ５のアイコンに対応づけて表示された例である。例えば、アイコンＫ１は、自身の選択操作に応じて異常の詳細を表示するように構成される。図５は、詳細情報は、マウス操作によるアイコンＫ１のクリックや、マウスオーバ等の操作に応じて詳細情報Ｆ１が表示された例を示す。
【００２３】
図６は、本実施形態の監視端末２がオペレータに文書データを提供する処理の具体例を示すフローチャートである。ここでは、フローチャートの開始時点において、監視端末２には、図４及び図５に示したような監視画面が表示されており、オペレータの監視画面の操作に応じて文書データが提供される場合を想定する。まず、入力部２２が、監視画面に対する機器（又は設備）の選択の入力を受け付ける（ステップＳ１０１）。ここでは、例えばポンプＰ１の選択操作が入力されたと仮定する。入力部２２は、選択された機器を示す選択情報を表示制御部２５に出力する。表示制御部２５は、選択された機器の識別情報を文書提供部２６に出力する。なお、選択された機器に関して表示すべき詳細情報がある場合には、表示制御部２５は、この選択操作に応じて監視画面に詳細情報を表示させてもよい。
【００２４】
続いて、文書提供部２６が、選択された機器の識別情報に基づいて、選択された機器に関する文書（以下「関連文書」という。）を特定する（ステップＳ１０２）。具体的には、文書提供部２６は、文書管理テーブルＴＢ１を参照し、選択された機器の識別情報を含む関連機器ＩＤの値を持つ文書管理レコードを選択する。文書提供部２６は、選択した文書管理レコードの文書ＩＤを取得することにより関連文書を特定する。例えば、ポンプＰ１の識別情報が図３に示す“機器Ａ１”である場合、文書提供部２６は“図面Ａ”及び“設計書Ｂ”を関連文書として特定する。
【００２５】
続いて、文書提供部２６は、特定した関連文書の階層構造を生成する（ステップＳ１０３）。具体的には、文書提供部２６は、特定した関連文書が所属する分類の分類ＩＤを含むツリー情報を選択し、選択したツリー情報に基づいて関連文書の階層構造を生成する。例えば、文書提供部２６は、選択したツリー情報が示す階層構造をそのまま用いてもよいし、選択したツリー情報が示す階層構造から関連文書に対応づけられていない分類を除外した階層構造を生成してもよい。
【００２６】
図７は、本実施形態の監視端末２において文書提供部２６が生成する関連文書の階層構造の具体例を示す図である。図７は、図３に示す“ポンプ関連”の分類ＩＤが“Ｇ１”であり、“機器設計”の分類ＩＤが“Ｇ２”である場合に生成される階層構造の具体例を示す。図７（Ａ）は、ツリー情報が示す階層構造をそのまま関連文書の階層構造とした例である。また、図７（Ｂ）は、ツリー情報が示す階層構造から、特定された関連文書に対応づけられていない分類を除外して生成した階層構造の例である。文書提供部２６は、このように生成した関連文書の階層構造を示す情報（以下「階層情報」という。）を表示制御部２５に出力する。
【００２７】
図６の説明に戻る。続いて、表示制御部２５は、文書提供部２６から出力された階層情報に基づいて、関連文書の選択メニューを監視画面に表示させる（ステップＳ１０４）。具体的には、表示制御部２５は、ステップＳ１０１において選択された機器の表示に対応づけて関連文書の選択メニューを表示させる。
【００２８】
図８は、本実施形態の監視端末２における関連文書の選択メニューの表示例を示す図である。図８は、関連文書の選択メニューが図７（Ｂ）に示す階層構造で表示された例を示す。図８は、関連文書の階層構造を“設計書”、“機器設計”の順に展開し、“機器設計”に対応づけられた関連文書“図面Ａ”及び“設計書Ｂ”のうち“図面Ａ”が選択された状態を表している。この場合、表示制御部２５は、各分類の選択操作に応じて選択された分類以下の階層構造を展開してもよいし、最初からすべての階層構造を展開した状態で表示させてもよい。また、表示制御部２５は、関連文書の選択に応じて、選択された文書データの処理方法の選択肢を表示してもよい。例えば、図８に示すように、表示制御部２５は、選択された文書に対して“表示”、“ダウンロード”、“印刷”の選択肢を表示してもよい。
【００２９】
図６の説明に戻る。表示制御部２５は、監視画面に表示した選択メニューに対する関連文書の選択の入力を受け付ける（ステップＳ１０５）。表示制御部２５は、選択された関連文書の文書ＩＤを文書提供部２６に通知する。ここで、図８のように、文書の選択に合わせて文書データの処理方法が入力される場合、表示制御部２５は、選択された関連文書の文書ＩＤとともに、対応する文書データの処理方法を文書提供部２６に通知する。
【００３０】
続いて、文書提供部２６が、表示制御部２５から通知された文書ＩＤに対応する文書データを記憶部２３から取得する（ステップＳ１０６）。具体的には、文書提供部２６は、文書管理テーブルＴＢ１を参照し、表示制御部２５から通知された文書ＩＤの値を持つ文書管理レコードを選択する。文書提供部２６は、選択した文書管理レコードのファイルパスの値を取得し、取得した値が示すファイルパスに格納された文書データを取得する。
【００３１】
文書提供部２６は、取得した文書データを、表示制御部２５から通知された処理方法で処理する（ステップＳ１０７）。例えば、図８の例において選択メニューから“表示”が選択された場合、文書提供部２６は、取得した文書データを表示部２４に表示させる。また、例えば、選択メニューから“ダウンロード”が選択された場合、文書提供部２６は、取得した文書データを所定の格納先に保存する。また、例えば、選択メニューから“印刷”が選択された場合、文書提供部２６は、取得した文書データをプリンタや複合機等の印刷装置に出力する。
【００３２】
このように構成された実施形態の監視端末２は、プラント１のオペレータが監視画面に対して行った操作に関連する関連文書の選択肢を、予め登録された複数の文書の中から抽出してオペレータに提示することができる。このように構成された監視端末２によれば、オペレータは、プラント１の運転管理に必要な文書を効率よく入手することが可能になる。
【００３３】
また、実施形態の監視端末２は、関連文書の選択肢を、文書データが属する分類（属性の一例）の単位で提示するとともに、選択肢から選択された文書データに関して、文書データの提供手段の選択肢（例えば、“表示”、“ダウンロード”、“印刷”など）を提示することができる。このように構成された監視端末２によれば、オペレータは、所望の文書をより容易に探し出すことができるとともに、所望の態様で関連文書の内容を確認することが可能になる。
【００３４】
以下、実施形態の監視端末２及びプラントシステム１００の変形例について説明する。
【００３５】
監視端末２は、ネットワークを介して通信可能な他の装置から関連文書の文書データを取得するように構成されてもよい。例えば、監視端末２が監視制御装置３から関連文書の文書データを取得する場合には、実施形態の監視端末２が備えた記憶部２３及び文書提供部２６を監視制御装置３に備えさせればよい。この場合、監視端末２の表示制御部２５は、選択された機器の機器ＩＤを監視制御装置３に通知し、この通知への応答として監視制御装置３から階層情報を取得する。表示制御部２５は、取得した階層情報に基づいて関連文書の選択メニューを表示させる。一方、監視制御装置３では、通知された機器ＩＤに基づいて文書提供部２６が階層情報を生成し、生成した階層情報を監視端末２に送信する。
【００３６】
また、監視端末２の表示制御部２５は、選択メニューに対して文書の選択操作が行われたことに応じて、選択された文書の文書ＩＤを監視制御装置３に通知する。表示制御部２５は、この通知への応答として通知した文書ＩＤで識別される文書の文書データを監視制御装置３から取得する。表示制御部２５は、取得した文書データを指定された所定の提供手段（例えば“表示”、“ダウンロード”、“印刷”などの手段）でオペレータに提供する。このように、監視端末２が監視制御装置３から文書データを取得するようにプラントシステム１００を構成すれば、文書データや設定情報を監視制御装置３に集約して一元的に管理することができる。
【００３７】
上記の実施形態において、監視端末２は監視画面に表示された機器（又は設備）の選択に応じて関連文書の選択メニューを表示したが、関連文書の選択メニューは機器そのものを示す情報（例えばアイコン）ではなく、機器に関する他の情報の選択に応じて表示されてもよい。例えば、選択メニューは、図５に示す異常通知の表示Ｋ１の選択に応じて表示されてもよい。この場合、選択メニューには、異常が発生したポンプＰ５の関連文書に加えて、発生した異常に関連する文書が提示されてもよい。この場合、機器と関連文書との対応関係に加えて、想定する異常と関連文書との対応関係が設定情報に定義されればよい。また、この場合、異常の種別や異常の影響範囲等が関連文書の分類に加えられてもよい。
【００３８】
関連文書は設計図面や設計書等の設計に関するものに限られず、オペレータがプラント１の運転管理に必要とする文書であればどのような文書であってもよい。例えば、関連文書には、保守員の連絡先や連絡手段を示す文書が含まれてもよいし、マニュアルや障害復旧手順などを示す文書が含まれてもよい。
【００３９】
選択メニューは、必ずしも文書を階層構造に分類して表示するものでなくてもよい。例えば、選択メニューは特定された関連文書の一覧を示すものであってもよい。
【００４０】
以上説明した少なくともひとつの実施形態によれば、プラント１の（監視制御対象の一例）の運転管理に関する文書データを記憶する記憶部２３と、プラント１の運転管理に関する情報を表示する表示部２４と、表示部２４に表示された情報の選択操作に応じて、選択操作によって選択された情報に関連する文書データを記憶部２３から取得してオペレータ（ユーザの一例）に提供する文書提供部２６と、を持つことにより、プラント１のオペレータが運転管理に必要な文書を効率よく入手することを可能にすることができる。
【００４１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４２】
１００…プラントシステム、１…プラント、２…監視端末、２１…通信部、２２…入力部、２３…記憶部、２４…表示部、２５…表示制御部、２６…文書提供部、３…監視制御装置
【図１】
2019159486.tif 000003
【図２】
2019159486.tif 000004
【図３】
2019159486.tif 000005
【図４】
2019159486.tif 000006
【図５】
2019159486.tif 000007
【図６】
2019159486.tif 000008
【図７】
2019159486.tif 000009
【図８】
2019159486.tif 000010